(57)【要約】      （修正有）【課題】理容店や美容店などの反転して映る前面の鏡を利用して文字や絵柄及び映像等の反転情報を前面の鏡で正体情報として伝達する反射面を利用したプロモーションシステムを提供する。【解決手段】  前方にある鏡等の反射面３を利用して、これに映る後方もしくは当該スペースのプロモーション展開位置５へ、反転させた文字や絵柄及び映像等の反転情報を訴求し、前方の反射面３で正体情報として利用者視点１に伝達する。【選択図】図１
2005173516.tif 000002
【特許請求の範囲】
【請求項１】
前方にある反射面を利用して、これに映る後方もしくは当該スペースへ、反転させた文字や絵柄及び映像等の反転情報を訴求して、これを正体情報として伝達する反射面を利用したプロモーションシステム
【請求項２】
文字や絵柄及び映像等の正体情報を訴求する場合には、後方もしくは当該スペースに設置した反射面で一度反転させ、この反射面の情報を前方にある反射面を利用して正体情報として伝達する、反射面を利用したプロモーションシステム
【発明の詳細な説明】
【技術分野】
【０００１】  予め反転させた情報を、利用者前面に位置する鏡面及び反射面を備えた物を介して、利用者または情報伝達目的者へ正体情報として伝達するプロモーションシステムに関するものである。
【背景技術】
【０００２】  これまでの方法では、正体の文字や映像で作られた情報を鏡面及び反射面を介して利用者へ訴求していたため、利用者には反転した情報となり、有効な情報として役立つものではなかった。
【発明の開示】
【発明が解決しようとする課題】
【０００３】  これまで理容店及び美容店等の利用者へ、その前面に位置する鏡を見る時間がその大半であるにも拘らず、利用している時間内にお店側や関連業者側からの情報を利用者へ有効に伝えられていなかった。また、巨大な反射面を備えた建物や河川や湖沼の水面等についても、その面を活かし情報を伝達するプロモーション等が行われていなかった。【０００４】  この発明は、理容店及び美容店の顧客の、反転して映る前面の鏡を利用して、文字や絵柄及び映像等の反転情報を、前面の鏡で正体情報として伝達する、反射面を利用したプロモーションシステムを提供するものである。
【課題を解決するための手段】
【０００５】  上記課題のために、本発明によるプロモーションシステムは、前方にある反射面を利用して、これに映る後方もしくは当該スペースへ、反転させた文字や絵柄及び映像等の反転情報を訴求して、これを正体情報として伝達することを特徴とするものである。【０００６】  さらに、文字や絵柄及び画像等の反転のない正体情報を、後方もしくは当該スペースに設置した反射面へ一度反射させ、これを利用者の前方にある反射面でもう一度反射させることにより、二度の反射で利用者へ正体情報を伝達するものである。
【発明の効果】
【０００７】  本発明は、以上説明したように構成されているので、以下に記載されるような効果を奏する。【０００８】  この発明により、理容店及び美容店等の反射面を利用する数十分から数時間におよぶ時間内に、反射面に正体情報を伝達して、利用者へ向け効果的に情報を訴求することができる。【０００９】  この発明により、毎回の利用ごとに同一の情報でなく、一定の期間で情報を変えながら発信して行くことができる。【００１０】  本発明の文字による電光掲示板や映像モニターを使用することにより、毎回の利用者の利用時間内に複数の情報を提供することが可能になった。【００１１】  この発明により、これらの情報訴求方法を広告媒体とした場合、地域または広域エリアにおける情報発信基地としての存在を、併せて持ち得るものである。【００１２】  この発明により、反射面を備えた建物、及び建物等の窓ガラス等の反射面を利用したプロモーション活動を可能にした。【００１３】  この発明により、河川や湖沼及びプール等の水面を利用したプロモーション活動を可能にした。
【発明を実施するための最良の形態】
【００１４】  発明の実施の形態を実施例にもとづき図面を参照して説明する。
本発明は、利用者の前方の反射面に映る後方もしくは当該スペースへ、反転させた文字や絵柄及び映像等の反転情報を訴求して、これを正体情報として利用者へ伝達するプロモーションシステムである。【００１５】  図１は理容店や美容店における本発明に係る、反射面を利用したプロモーションシステムを示すもので、椅子（６）に座った利用者視点（１）から前方の鏡（３）を介して、利用者の後方の壁（２）、すなわち前方の鏡（３）に映る壁またはその近辺のプロモーションの展開位置（５）に、図２に示すような文字や絵柄及び映像等、例えば左右を反転させたポスターサンプル（８）のような反転情報（９）を訴求して、前方の鏡（３）に正体情報として伝達するものである。また、反転情報は移動式又は回転式ワゴン等（７）を利用し、任意に変えられるものも利用する。【００１６】  図３には、本プロモーションを介し、展開位置（５）に訴求した図２のポスター（８）を、前方の鏡（３）で反転させ、正体情報（１１）として伝達されたものを示したものである。【００１７】  図４には、後方の壁（２）またはその近辺の展開位置（５）へ移動式または回転式ワゴン等（７）で、もう１枚追加した鏡（１３）を介し、もう一度反射をさせて、正体の電光掲示板あるいは映像モニター（１２）による情報提供を示したものである。【００１８】  図５には、後方の壁（２）またはその近辺の展開位置（５）へ、実際に左右を反転させた電光掲示板または映像モニター（１４）を設置し、情報提供する場合を示したものである。【００１９】  図６には、反射面を備えた建物（１５）を利用したプロモーションの場合を示した。【００２０】  図７は、前方の鏡等の反射面（３）を複数に分け、それぞれの反射面の角度を任意に調節できるようにし（１６）、文字や絵柄及び映像等を訴求するプロモーション展開位置（５）の文字や絵柄等の位置を、反射面（１６）の調整によって文字や絵柄が移動した距離（１７）を説明した図である。さらにこの場合、図８のように建物以外にも、複数の反射面を持つスタンド等（１８）によっても実現できるものである。
【図面の簡単な説明】
【００２１】
【図１】  理容店や美容店における反転情報によるプロモーションシステムの説明図である。
【図２】  本プロモーションシステムを介する前のポスターサンプルを使った反転情報についての説明図である。
【図３】  本プロモーションで前方の鏡を介した図２ポスターの正体情報についての説明図である
【図４】  後方の壁またはその近辺へ追加した鏡を利用しての、正体情報の電光掲示板または映像モニター等を使用した場合の説明図である。
【図５】  後方の壁またはその近辺へ鏡を追加せず、実際に反転した電光掲示板または映像モニターを使用した場合の説明図である。
【図６】  反射面を備えた建物を利用した場合のプロモーションの説明図である。
【図７】  任意に角度調整が可能な複数の反射面によるプロモーションの説明図である。
【図８】  任意に角度調整が可能な複数の反射面を持つプロモーション用のスタンドの説明図である。
【符号の説明】
【００２２】          １  利用者視点
２  後方の壁
３  利用者前面の鏡（反射面）
４  利用者視線
５  プロモーション展開位置
６  椅子
７  任意な場所へ移動や設置が可能な移動式または回転式ワゴン
８  反転情報のポスター
９  反転情報面
１０  反射させて見た時の正体情報ポスター
１１  正体情報面
１２  正体情報の電光掲示板または映像モニター
１３  後方へ追加したもう一枚の鏡
１４  反転情報の電光掲示板または映像モニター
１５  反射面を備えた建物
１６  任意に調整可能な反射面
１７  文字・絵柄等の移動
１８  複数の反射面を持つスタンド
【図１】
2005173516.tif 000003
【図２】
2005173516.tif 000004
【図３】
2005173516.tif 000005
【図４】
2005173516.tif 000006
【図５】
2005173516.tif 000007
【図６】
2005173516.tif 000008
【図７】
2005173516.tif 000009
【図８】
2005173516.tif 000010